(57)【要約】【課題】一定量のアイカラーを塗布することが可能であり、しかもアイカラーメイクを簡単に行うことができるアイカラー化粧用具の提供を目的とする。【解決手段】アイカラー塗布具３１がケース本体１２に挿入されて収納保管される際、アイカラー塗布具の塗布部３２がケース本体の底部のアイカラー２５と対向するようにしてケース本体１２内に収納され、蓋体１７でケース本体１２が閉じられることにより、アイカラー塗布具３１の把持部３５が蓋体１７で押圧されて塗布部３２が圧縮された状態でアイカラー２５に圧着し、塗布部３２の表面にアイカラーが付着するようにされ、アイカラーメイクの際、ケース１１からアイカラー塗布具３１が取り出されてアイカラーが付着している塗布部３２の表面が瞼の上に押し付けられるように構成した。【選択図】図３
2013034524.tif 000002
【特許請求の範囲】
【請求項１】
ケースと、前記ケース内に配置されたアイカラーと、前記ケースに収納保管され、アイカラーメイクの際に前記ケースから取り出されるアイカラー塗布具とよりなり、
前記ケースは、一側が開口したケース本体と前記ケース本体の一側の開口を開閉する蓋体とよりなり、
前記アイカラーは、前記ケース本体内の底部に配置され、
前記アイカラー塗布具は、連続気泡構造の弾性発泡体からなる塗布部と前記塗布部よりも硬度の高い部材からなる把持部との積層体からなって、前記積層体の両端間の長さが、前記ケース本体の開口を閉じた状態の前記蓋体と前記ケース本体内のアイカラーとの間隔よりも大にされ、
前記アイカラー塗布具が前記ケース本体の開口からケース本体内に挿入されて収納保管される際、前記アイカラー塗布具は前記塗布部が前記ケース本体の底部のアイカラーと対向するようにして前記ケース本体内に収納され、前記蓋体で前記ケース本体の開口が閉じられることにより、前記アイカラー塗布具の把持部が前記蓋体で押圧されて前記塗布部が圧縮された状態で前記アイカラーに圧着し、前記アイカラーに圧着した前記塗布部の表面にアイカラーが付着するようにされ、
アイカラーメイクの際、前記ケースから前記アイカラー塗布具が取り出され、前記アイカラーが付着している前記塗布部の表面が瞼の上に押し付けられることを特徴とするアイカラー化粧用具。
【請求項２】
前記アイカラー塗布具の塗布部は、前記収納保管時に前記アイカラーに圧着することとなる表面が予め傾斜して設けられ、前記アイカラー塗布具の収納保管時における前記塗布部の圧縮量が、前記アイカラーに圧着する塗布部の位置によって異なるようにされていることを特徴とする請求項１に記載のアイカラー化粧用具。
【請求項３】
前記ケース本体内の底部に配置された前記アイカラーは、前記アイカラー塗布具の収納保管時に前記塗布部の表面と圧着するアイカラーの表面が傾斜して設けられ、前記アイカラー塗布具の収納保管時における前記塗布部の圧縮量が、前記アイカラーに圧着する塗布部の位置によって異なるようにされていることを特徴とする請求項１に記載のアイカラー化粧用具。
【請求項４】
前記ケース本体の底部に配置されたアイカラーは、徐々に色を変化させてあるいは前記底部の所定範囲毎に色を異ならせて設けられていることを特徴とする請求項１に記載のアイカラー化粧用具。
【発明の詳細な説明】
【技術分野】
【０００１】
本発明は、アイカラーとアイカラー塗布具がケースに収納されたアイカラー化粧用具に関する。
【背景技術】
【０００２】
従来、アイカラーのメイクを行う場合、ケースに収納されたアイカラーをチップの先端で掻き出し、チップの先端に付着させたアイカラーを瞼の上（表面）に塗布している。また、アイカラーと共にチップをケースに収納したものがある。図１２は、アイカラー７１と共にチップ７３が収納可能にされたケース７０の一例である。
【０００３】
しかしながら、毎回、チップの先端にアイカラーを一定量付着させて、同じようにアイカラーを瞼の上に塗布することは難しく、瞼の上に塗布したアイカラーの濃さやグラディエーションがメイク毎にばらつく問題がある。例えば、憧れの女優さんをまねてアイカラーメイクを行っても、ある日は上手にでき、また別の日には上手くできないことがある。さらに、アイカラーメイクを行う際に、何度も瞼の上に塗り絵のようにアイカラーを塗り重ねる必要があり、メイクに手間がかかる問題がある。
【先行技術文献】
【特許文献】
【０００４】
【特許文献１】特開２０００−３３３７２５号公報
【特許文献２】特開２００４−２４３０１５号公報
【特許文献３】特開２００９−２１４９１２号公報
【発明の概要】
【発明が解決しようとする課題】
【０００５】
本発明は前記の点に鑑みなされたものであって、一定量のアイカラーを瞼の上に塗布することができ、しかもアイカラーメイクを簡単に行うことができるアイカラー化粧用具の提供を目的とする。
【課題を解決するための手段】
【０００６】
請求項１の発明は、ケースと、前記ケース内に配置されたアイカラーと、前記ケースに収納保管され、アイカラーメイクの際に前記ケースから取り出されるアイカラー塗布具とよりなり、前記ケースは、一側が開口したケース本体と前記ケース本体の一側の開口を開閉する蓋体とよりなり、前記アイカラーは、前記ケース本体内の底部に配置され、前記アイカラー塗布具は、連続気泡構造の弾性発泡体からなる塗布部と前記塗布部よりも硬度の高い部材からなる把持部との積層体からなって、前記積層体の両端間の長さが、前記ケース本体の開口を閉じた状態の前記蓋体と前記ケース本体内のアイカラーとの間隔よりも大にされ、前記アイカラー塗布具が前記ケース本体の開口からケース本体内に挿入されて収納保管される際、前記アイカラー塗布具は前記塗布部が前記ケース本体の底部のアイカラーと対向するようにして前記ケース本体内に収納され、前記蓋体で前記ケース本体の開口が閉じられることにより、前記アイカラー塗布具の把持部が前記蓋体で押圧されて前記塗布部が圧縮された状態で前記アイカラーに圧着し、前記アイカラーに圧着した前記塗布部の表面にアイカラーが付着するようにされ、アイカラーメイクの際、前記ケースから前記アイカラー塗布具が取り出され、前記アイカラーが付着している前記塗布部の表面が瞼の上に押し付けられることを特徴とするアイカラー化粧用具に係る。
【０００７】
請求項２の発明は、請求項１において、前記アイカラー塗布具の塗布部は、前記収納保管時に前記アイカラーに圧着することとなる表面が予め傾斜して設けられ、前記アイカラー塗布具の収納保管時における前記塗布部の圧縮量が、前記アイカラーに圧着する塗布部の位置によって異なるようにされていることを特徴とする。
【０００８】
請求項３の発明は、請求項１において、前記ケース本体内の底部に配置された前記アイカラーは、前記アイカラー塗布具の収納保管時に前記塗布部の表面と圧着するアイカラーの表面が傾斜して設けられ、前記アイカラー塗布具の収納保管時における前記塗布部の圧縮量が、前記アイカラーに圧着する塗布部の位置によって異なるようにされていることを特徴とする。
【０００９】
請求項４の発明は、請求項１において、前記ケース本体の底部に、前記アイカラーが徐々に色を変化させてあるいは前記底部の所定範囲毎に色を異ならせて配置されていることを特徴とする。
【発明の効果】
【００１０】
請求項１の発明によれば、アイカラー塗布具をケースに収納保管することにより、アイカラー塗布具の塗布部がアイカラーに圧着して塗布部表面にアイカラーが付着するため、アイカラーメイクをする際には、ケースからアイカラー塗布部の把持部を掴んで取り出し、アイカラーが付着している塗布部の表面を瞼の上に押し付け、必要に応じて擦るだけでアイカラーメイクを行うことができ、メイクを簡単に行うことができる。
【００１１】
さらに、請求項１の発明によれば、アイカラー塗布具がケースに収納保管されることによって、ケース内のアイカラーに塗布部の表面が一定の圧力で圧着するため、塗布部表面へのアイカラーの付着量が一定し、メイク毎のばらつきを抑えることができる。
【００１２】
請求項２及び３の発明によれば、アイカラー塗布具がケースに収納保管された際に、ケース内のアイカラーと圧着する塗布部の表面が傾斜していることにより、あるいは塗布部の表面と圧着するアイカラーの表面が傾斜していることにより、塗布部はアイカラーとの圧着位置によって圧縮量が異なり、塗布部の表面とアイカラーとの圧着力が異なったものとなる。従って、圧着力が大の位置、すなわち塗布部の表面がアイカラーに強く押し付けられている部位ではアイカラーの付着量が多くなり、一方、圧着力が小の位置、すなわち塗布部の表面がアイカラーに弱く押し付けられている部位ではアイカラーの付着量が少なくなるため、塗布部表面におけるアイカラーの付着量が、塗布部表面の傾斜あるいはアイカラー表面の傾斜に応じて徐々に変化したものとなる。そのため、アイカラーメイク時に、アイカラーの付着量が徐々に変化している塗布部の表面を瞼の上に押し付けることにより、グラディエーションを有するアイカラーメイクを容易に、かつメイク毎のばらつきを抑えて行うことができる。
【００１３】
請求項４の発明によれば、ケースに収納保管されたアイカラー塗布具の塗布部表面に、アイカラーが色を徐々に変化して（濃度の変化を含む）付着し、あるいはアイカラーが所定範囲毎に色を異ならせて（濃度が異なる場合を含む）付着するため、アイカラーメイク時に、アイカラーの付着している塗布部の表面を瞼の上に押し付けることにより、グラディエーションや所定範囲毎に色が異なるアイカラーメイクを容易に、かつメイク毎のばらつきを抑えて行うことができる。
【図面の簡単な説明】
【００１４】
【図１】本発明におけるアイカラー化粧用具の第一実施形態の図である。
【図２】本発明におけるアイカラー塗布具の第一実施形態の斜視図である。
【図３】第１実施形態におけるアイカラー塗布具の収納保管の際を示す断面図である。
【図４】第１実施形態におけるアイカラー塗布具の取り出し時を示す断面図である。
【図５】第２実施形態におけるアイカラー塗布具の収納保管の際を示す断面図である。
【図６】第２実施形態におけるアイカラー塗布具の取り出し時を示す断面図である。
【図７】第３実施形態におけるアイカラー塗布具の収納保管の際を示す断面図である。
【図８】第３実施形態におけるアイカラー塗布具の取り出し時を示す断面図である。
【図９】第４実施形態におけるアイカラー塗布具の収納保管の際を示す断面図である。
【図１０】第４実施形態におけるアイカラー塗布具の取り出し時を示す断面図である。
【図１１】アイカラーメイクを行う際の瞼付近を示す図である。
【図１２】アイカラーと共にチップがされた従来のケースの平面図である。
【発明を実施するための形態】
【００１５】
以下、本発明のアイカラー化粧用具の実施形態について説明する。図１に示す第１実施形態のアイカラー化粧用具１０は、ケース１１と、前記ケース内に配置されたアイカラー（アイカラー化粧料）２５と、前記ケース１１に収納保管され、アイカラーメイクの際に前記ケース１１から取り出されるアイカラー塗布具３１とよりなる。
【００１６】
前記ケース１１は、図３にも示すように、ケース本体１２と蓋体１７とよりなる。
前記ケース本体１２は、一側（図示の例では上側）が開口した容器状からなる。符号１６はケース本体の開口である。前記ケース本体１２内の底部１３は、略平面で構成され、前記底部１３に所定色のアイカラー２５が配置されている。前記ケース本体１２の横断面形状（図１のＡ−Ａ断面図に示す断面形状）は、前記アイカラー塗布具３１の横断面と略等しくされ、前記アイカラー塗布具３１をケース本体１２内に開口１６から挿入可能な形状となっている。
【００１７】
前記蓋体１７は、前記ケース本体１２の一側の開口１６を開閉するものであり、前記ケース本体１２の開口１６を塞ぐことのできる大きさからなる。前記蓋体１７とケース本体１２は、図示の例では、ヒンジ２１で連結されたプラスチック成形品からなり、前記ヒンジ２１とは反対側に係合突部１８と係合凹部１４からなる係合手段が設けられている。前記係合突部１８と係合凹部１４は、前記開口１６を蓋体１７で閉じた際に係合して閉状態を維持する。なお、前記蓋体１７とケース本体１２は、ヒンジで連結されることなく分離したものとし、前記ケース本体１２の開口１６に嵌着可能にしてもよい。
【００１８】
前記アイカラー２５は、所定の色をしたパウダー等の化粧料からなり、前記ケース本体１２内の底部１３上に層状に設けられている。
【００１９】
前記アイカラー塗布具３１は、塗布部３２と把持部３５とが積層一体化された積層体で構成されている。
前記塗布部３２は、連続気泡構造の弾性発泡体からなる。連続気泡構造とすることにより、前記アイカラー２５に塗布部３２が圧着した際に、塗布部３２の表面３３に良好にアイカラー２５を付着させることができる。連続気泡構造の弾性発泡体としては、好ましくはセル数が２０〜１００個／２５ｍｍ（ＪＩＳ  Ｋ６４００準拠）、より好ましくは４０〜８０個／２５ｍｍ、硬さが２０〜７０Ｎ／３１４ｃｍ２（ＩＬＤ準拠）、より好ましくは３０〜４０Ｎ／３１４ｃｍ２のものである。前記セル数の範囲とすることにより、前記塗布部３２の表面にアイカラーを密に付着させることができ、また、前記硬さの範囲とすることにより、アイカラー塗布具３１を前記ケース１１に収納保管した際に、前記塗布部３２を圧縮させてアイカラー２５に圧着させることができる。前記塗布部３２の厚み（高さ）ａ１は適宜設定されるが、好ましくは通常５〜５０ｍｍ、より好ましくは１０〜３０ｍｍである。前記塗布部３２の表面３３の形状は、アイカラーメイクを行う瞼の上（表面）の範囲（形状）に合わせるのが好ましい。
【００２０】
前記把持部３５は、アイカラー塗布具３１を使用する際に掴まれる部分であり、前記塗布部３２よりも硬度の高い材質、好ましくは６０ｋＰａ以上（ＢＳ  ＩＳＯ  ７２１４  １９９８準拠）の硬さを有する材質からなる。前記把持部３５の材質としては、前記塗布部３２よりも硬度の高い材質であれば特に限定されるものではなく、発泡体、非発泡のプラスチック、木製、金属製等を挙げることができる。前記把持部３５は、接着等によって前記塗布部３２と接合されている。前記把持部３５の厚み（高さ）ａ２は、把持し易い寸法であればよく、例えば１０〜５０ｍｍ程度を挙げる。また、図示の例では、前記把持部３５の側部形状は前記塗布部３２の側部形状と等しくされているが、把持部３５を掴むことができる形状であればよく、特に限定されるものではない。
【００２１】
前記塗布部３２と把持部３５からなる積層体の両端間の長さ（すなわちアイカラー塗布具３１の両端間の長さ（距離））ａは、前記ケース本体１１の開口１６を閉じた状態の前記蓋体１７と前記ケース本体１１内のアイカラー２５との間隔ｆ（図３の（３−３）に示す）よりも大にされている。
【００２２】
前記アイカラー化粧用具１０は、非メイク時、図３の（３−１）〜（３−３）に示すように、前記アイカラー塗布具３１が前記ケース本体１２の開口１６からケース本体１２内に挿入されて収納保管される。その際、前記アイカラー塗布具３１は、前記塗布部３２が前記ケース本体１２の底部のアイカラー２５と対向するようにして前記ケース本体１２内に収納され、前記蓋体１７で前記ケース本体１２の開口１６が閉じられる。これにより、図３の（３−３）に示すように、前記アイカラー塗布具３１の把持部３５が前記蓋体１７で押圧されて前記塗布部３２が圧縮された状態で前記アイカラー２５に圧着し、前記アイカラー２５に圧着した前記塗布部３２の表面にアイカラーが付着する。
【００２３】
一方、アイカラーメイクの際には、図４のように前記蓋体１７を開け、前記ケース本体１２から突出した前記把持部３５を掴んで前記ケース１１から前記アイカラー塗布具３１を取り出し、アイカラー２９（前記ケース本体１２の底部のアイカラ−２５と同じもの）が付着している前記塗布部３２の表面を、図１１に示す瞼４１の上（表面）に押し付け、前記塗布部２５のアイカラー２９を瞼４１の上（表面）に塗布する。このようにしてアイカラーメイクを行えるため、アイカラーメイク毎のばらつきを抑えることができ、しかも簡単にメイクすることができる。
【００２４】
図１〜図４のアイカラー化粧用具１０の材質、寸法等について一例を具体的に示す。
前記ケース本体１２及び蓋体１７は材質ポリスチレンからなり、ケース本体１１の開口１６を閉じた状態の蓋体１７とケース本体１１内のアイカラー２５との間隔ｆが４０ｍｍである。
前記アイカラー塗布具３１は、右瞼用のものであり、積層体の両端間の長さ（すなわちアイカラー塗布具３１の両端間の長さ（距離））ａが５０ｍｍ、大側の幅ｂが４０ｍｍ、小側の幅ｅが３５ｍｍ、大側の奥行きｃが３０ｍｍ、小側の奥行きｄが２０ｍｍである。
前記塗布部３２は、セル数５８個／２５ｍｍ（ＪＩＳ  Ｋ６４００準拠）、硬さ３５Ｎ／３１４ｃｍ２（ＩＬＤ）の軟質ポリウレタンフォームからなり、厚み（高さ）ａ１が２５ｍｍである。
前記把持部３５は、硬さ６９ｋＰａ（ＢＳ  ＩＳＯ  ７２１４  １９９８準拠）のポリエチレンフォームからなり、厚み（高さ）ａ２が２５ｍｍである。
【００２５】
図５及び図６に示す第２実施形態のアイカラー化粧用具１０Ａは、アイカラー塗布具３１Ａの収納保管時にケース本体１２Ａ内の底部１３Ａのアイカラー２５Ａと圧着することとなるアイカラー塗布具３１Ａの塗布部３２Ａの表面３３Ａが、傾斜して設けられている。前記ケース本体１２Ａ内の底部１３Ａは、第１実施形態のケース本体１２内の底部１３と同様に傾斜の無い平面となっている。その他の構成は、第１実施形態のアイカラー化粧用具１０と同様である。なお、第２実施形態では、第１実施形態の同一名称の部材と区別するため、符号にＡを併記した。図５はアイカラー化粧用具１０Ａをケース１１Ａに収納保管する際を示し、一方、図６はアイカラーメイク時にアイカラー化粧用具１０Ａをケース１１Ａから取り出す際を示す。
【００２６】
第２実施形態のアイカラー化粧用具１０Ａにおいては、前記アイカラー塗布具３１Ａが前記ケース１１Ａに収納保管された際、ケース１１Ａ内のアイカラー２５Ａと圧着する前記塗布部３２Ａの表面３３Ａが傾斜していることにより、前記塗布部３２Ａはアイカラー２５Ａとの圧着位置によって圧縮量が異なり、前記塗布部３２Ａの表面３３Ａとアイカラー２５Ａとの圧着力が塗布部３２Ａの表面３３Ａの位置によって異なったものとなる。従って、圧着力が大の位置、すなわち塗布部３２Ａの表面３３Ａがアイカラー２５Ａに強く押し付けられている部位３３１Ａではアイカラーの付着量が多くなり、一方、圧着力が小の位置、すなわち塗布部３２Ａの表面３３Ａがアイカラー２５Ａに弱く押し付けられている部位３３２Ａではアイカラーの付着量が少なくなるため、図６に示すように塗布部３２Ａの表面３３Ａにおけるアイカラー２９Ａの付着量が、塗布部の表面３３Ａの傾斜に応じて徐々に変化したものとなる。符号２９１Ａはアイカラーの付着量大側、符号２９２Ａはアイカラーの付着量小側である。そのため、アイカラーメイク時に、アイカラー２９Ａの付着量が徐々に変化している塗布部３２Ａの表面３３Ａを瞼４１の上（表面）に押し付けることにより、グラディエーションを有するアイカラーメイクを容易に、かつメイク毎のばらつきを抑えて行うことができる。さらに、前記塗布部３２Ａの表面３３Ａの傾斜角度を異ならせることによってアイカラーの付着量の変化を調節することができるため、使用者の好みに応じた多種類のアイカラー化粧用具を用意することもできる。
【００２７】
図７及び図８に示す第３実施形態のアイカラー化粧用具１０Ｂは、ケース本体１２Ｂ内の底部１３Ｂが傾斜して設けられ、該傾斜した底部１３Ｂ上にアイカラー２５Ｂが層状に配置されている。アイカラー塗布具３１Ｂにおける塗布部３２Ｂの表面３３Ｂは、第１実施形態の塗布部３２の表面３３と同様に傾斜の無い平面となっている。その他の構成は、第１実施形態のアイカラー化粧用具１０と同様である。なお、第３実施形態では、第１実施形態の同一名称の部材と区別するため、符号にＢを併記した。図７はアイカラー化粧用具１０Ｂをケース１１Ｂに収納保管する際を示し、一方、図８はアイカラーメイク時にアイカラー化粧用具１０Ｂをケース１１Ｂから取り出す際を示す。
【００２８】
第３実施形態のアイカラー化粧用具１０Ｂにおいては、前記アイカラー塗布具３１Ｂが前記ケース１１Ｂに収納保管された際、前記塗布部３２Ｂの表面３３Ｂと圧着するアイカラー２５Ｂの表面が傾斜していることにより、前記塗布部３２Ｂはアイカラー２５Ｂとの圧着位置によって圧縮量が異なり、塗布部３２Ｂの表面３３Ｂとアイカラー２５Ｂとの圧着力が異なったものとなる。従って、圧着力が大の位置、すなわち前記塗布部３２Ｂの表面３３Ｂがアイカラー２５Ｂに強く押し付けられている部位３３１Ｂではアイカラーの付着量が多くなり、一方、圧着力が小の位置、すなわち前記塗布部３２Ｂの表面３３Ｂがアイカラー２５Ｂに弱く押し付けられている部位３３２Ｂではアイカラーの付着量が少なくなるため、図８に示すように前記塗布部３２Ｂの表面３３Ｂにおけるアイカラー２９Ｂの付着量が、前記アイカラー２５Ｂの表面の傾斜に応じて徐々に変化したものとなる。符号２９１Ｂはアイカラーの付着量大側、符号２９２Ｂはアイカラーの付着量小側である。そのため、アイカラーメイク時に、アイカラー２９Ｂの付着量が徐々に変化している塗布部３２Ｂの表面を瞼の上に押し付けることにより、グラディエーションを有するアイカラーメイクを容易に、かつメイク毎のばらつきを抑えて行うことができる。さらに、前記ケース本体１２Ｂ内の底部１３Ｂの傾斜角度を異ならせることによってアイカラーの付着量の変化を調節することができるため、使用者の好みに応じた多種類のアイカラー化粧用具を用意することもできる。
【００２９】
図９及び図１０に示す第４実施形態のアイカラー化粧用具１０Ｃは、ケース本体１２Ｃ内の底部１３Ｃ上にアイカラー２５１Ｃ、２５２Ｃ、２５３Ｃが、前記底部１３Ｃの所定範囲毎に色を異ならせて配置されている。符号２５１Ｃ、２５２Ｃ、２５３Ｃは互いに異なる色のアイカラーである。異ならせる色には、濃度、青や緑などの色の種類等を含む。ケース本体１２Ｃの底部１３Ｃ及びアイカラー塗布具３１Ｃにおける塗布部３２Ｃの表面３３Ｃは、第１実施形態の底部１３及び塗布部３２の表面３３と同様に傾斜の無い平面となっている。その他の構成は、第１実施形態のアイカラー化粧用具１０と同様である。なお、第４実施形態では、第１実施形態の同一名称の部材と区別するため、符号にＣを併記した。図９はアイカラー化粧用具１０Ｃをケース１１Ｃに収納保管する際を示し、一方、図１０はアイカラーメイク時にアイカラー化粧用具１０Ｃをケース１１Ｃから取り出す際を示す。
【００３０】
第４実施形態のアイカラー化粧用具１０Ｃにおいては、前記ケース１１Ｃに収納保管されたアイカラー塗布具３１Ｃの塗布部３２Ｃの表面３３Ｃに、所定範囲毎に色を異ならせたアイカラー２５１Ｃ、２５２Ｃ、２５３Ｃが付着するため、図１０に示すように、アイカラーメイク時には、前記色の異なるアイカラー２９１Ｃ（前記アイカラー２５１Ｃの付着物）、２９２Ｃ（前記アイカラー２５２Ｃの付着物）、２９３Ｃ（前記アイカラー２５３Ｃの付着物）が付着している塗布部３２Ｃの表面３３Ｃを、瞼の上に押し付けることにより、グラディエーションや所定範囲毎に色が異なるアイカラーメイクを容易に、かつメイク毎のばらつきを抑えて行うことができる。
【００３１】
また、前記第４実施形態においては、前記ケース本体１２Ｃの底部１３Ｃに所定範囲毎にアイカラーの色を変化させて設けたが、それに代えて色を徐々に変化させて設けてもよい。このようにアイカラーの色を徐々に変化させて前記ケース本体１２Ｃの底部１３Ｃに配置すれば、連続的に色を変化（濃度変化を含む）させたアイカラーメイクを容易に、かつメイク毎のばらつきを抑えて行うことができる。
【００３２】
このように、本発明のアイカラー化粧用具は、ケースからアイカラー塗布部を取り出し、アイカラーが付着している塗布部の表面を瞼の上に押し付け、必要に応じて擦るだけでアイカラーメイクを行うことができ、メイクを簡単に行うことができる。さらに、アイカラー塗布具がケースに収納保管されることによって、ケース内のアイカラーに塗布部の表面が一定の圧力で圧着するため、塗布部表面へのアイカラー付着量が一定し、メイク毎のばらつきを抑えることができる。
【００３３】
なお、前記の実施形態では、塗布部を左右の瞼毎に異ならせて形成する例を示したが、前記塗布部の表面形状を左右の瞼で共通にし、一つのアイカラー塗布具で左右の瞼をアイカラーメイクできるようにしてもよい。
【符号の説明】
【００３４】
１０，１０Ａ，１０Ｂ，１０Ｃ  アイカラー化粧用具
１１，１１Ａ，１１Ｂ，１１Ｃ  ケース
１２，１２Ａ，１２Ｂ，１２Ｃ  ケース本体
１３，１３Ｂ，１３Ｂ，１３Ｃ  底部
１７，１７Ａ，１７Ｂ，１７Ｃ  蓋体
２５，２５Ａ，２５Ｂ，２５１Ｃ，２５２Ｃ，２５３Ｃ  ケース本体のアイカラー
２９，２９Ａ，２９Ｂ，２９１Ｃ，２９２Ｃ，２９３Ｃ  塗布部表面のアイカラー
３１，３１Ａ，３１Ｂ，３１Ｃ  アイカラー塗布具
３２，３２Ａ，３２Ｂ，３２Ｃ  塗布部
３５，３５Ａ，３５Ｂ，３５Ｃ  把持部
【図１】
2013034524.tif 000003
【図２】
2013034524.tif 000004
【図３】
2013034524.tif 000005
【図４】
2013034524.tif 000006
【図５】
2013034524.tif 000007
【図６】
2013034524.tif 000008
【図７】
2013034524.tif 000009
【図８】
2013034524.tif 000010
【図９】
2013034524.tif 000011
【図１０】
2013034524.tif 000012
【図１１】
2013034524.tif 000013
【図１２】
2013034524.tif 000014